(57)【要約】【課題】複数本の長尺な補強材を柱状物の上端から挿入しつつ、これら補強材を柱状物内部において確実に分散配置させることが可能な、中空柱状物の補強方法を提供することである。【解決手段】中空状の電柱１０の内部に、袋体２とこの袋体２に装着された複数本の長尺な補強材３とを有する補強体を電柱１０の上端から挿入してから、袋体２の内部に流体を注入して袋体２を膨張させ、複数本の補強材３を電柱１０の内部において分散配置させる。その後、電柱１０の内部に、流動性固化材１５を注入し、流動性固化材１５を固化させる。【選択図】図２
2010077722.tif 000002
【特許請求の範囲】
【請求項１】
地面に立設された中空形状の柱状物を補強する方法であって、
前記柱状物の内部に、袋体とこの袋体に装着された複数本の長尺な補強材とを有する補強体を、前記複数本の補強材が前記柱状物の長さ方向に沿うように挿入する、補強体挿入工程と、
前記袋体の内部に流体を注入して袋体を膨張させる、袋体膨張工程と、
前記柱状物の内部に、流動性固化材を注入する固化材注入工程と、
前記柱状物内に注入された前記流動性固化材を固化させる固化工程と、
を備えていることを特徴とする中空柱状物の補強方法。
【請求項２】
前記補強体は、前記補強材の長さ方向に関して間隔を空けて配置される、複数の前記袋体を有することを特徴とする請求項１に記載の中空柱状物の補強方法。
【請求項３】
前記袋体は、小径部とこの小径部よりも径の大きな大径部とを有する異径筒状に形成されており、
前記複数本の補強材は、前記大径部に装着されていることを特徴とする請求項１に記載の中空柱状物の補強方法。
【請求項４】
前記袋体は、前記補強材の長さ方向に関して間隔を空けて配置される、複数の前記大径部を有することを特徴とする請求項３に記載の中空柱状物の補強方法。
【請求項５】
前記複数本の補強材は、前記大径部のうちの、前記小径部に連なる径変化部を貫通した状態で前記袋体に装着されていることを特徴とする請求項３又は４に記載の中空柱状物の補強方法。
【請求項６】
前記袋体膨張工程において、前記袋体の内部に流動性固化材を注入して袋体を膨張させることを特徴とする請求項１〜５の何れかに記載の中空柱状物の補強方法。
【請求項７】
前記袋体膨張工程において、前記袋体の内部に気体を注入して袋体を膨張させることを特徴とする請求項１〜５の何れかに記載の中空柱状物の補強方法。
【請求項８】
前記補強材は、可撓性を有することを特徴とする請求項１〜７の何れかに記載の中空柱状物の補強方法。
【請求項９】
前記柱状物内に挿入された前記補強体の、前記複数本の補強材の上端部に、これら複数本の補強材の位置を規制する規制部材を取り付けることを特徴とする請求項１〜８の何れかに記載の中空柱状物の補強方法。
【請求項１０】
地面に立設された中空形状の柱状物を補強するために、前記柱状物内にその上端から挿入される補強体であって、
袋体と、前記袋体に装着された複数本の長尺な補強材とを有することを特徴とする中空柱状物の補強体。
【発明の詳細な説明】
【技術分野】
【０００１】
本発明は、地面に立設された電柱等の中空柱状物を補強する技術に関する。
【背景技術】
【０００２】
市街地には、ケーブルや電線等を支持する電柱などの種々の柱状物が設置されている。これらの柱状物の多くは、鉄筋コンクリートや鋼管等からなる中空形状の柱状物であり、その端部が地中に埋設された状態で地面に立設されている。このような中空柱状物は、長期間にわたり直射日光や風雨にさらされることから劣化が生じることは避けられず、特に、根元部付近において劣化が生じると柱状物が倒れる虞がある。また、電線等が架け渡される２本の柱状物の間には、電線等に常時生じている張力により互いに接近する方向に力が作用していることがあるが、この場合、根元部に大きな曲げ応力が作用するために亀裂等が生じやすい。
【０００３】
しかし、このような経年劣化や亀裂が生じた柱状物の全体を別の新しい柱状物と取り替えようとすると、架設されているケーブルや電線等を付け替えるなどの作業が必要であり、非常に手間がかかる。そこで、従来から、このような中空の柱状物を補強する方法が提案されている。
【０００４】
特許文献１には、中空の柱状物であるコンクリート製の電柱を、その内部から補強する補強方法が記載されている。詳細には、特許文献１の補強方法においては、まず、電柱側面に形成した側面開口から電柱内部に、複数本の補強材（アラミドロッド）を挿入するとともに、同じく側面開口から挿入したロッド配置用補助具によって複数本の補強材を電柱内部において分散配置させる。次に、側面開口を塞いだ後、電柱の上端（頂部）開口から無収縮モルタル等の流動性固化材を注入する。
【０００５】
【特許文献１】特開２００７−７７６１３号公報
【発明の開示】
【発明が解決しようとする課題】
【０００６】
前記特許文献１の補強方法では、柱状物の側面に側面開口を形成し、この側面開口から複数本の補強材やこれらの補強材を分散配置するための補助具を挿入している。しかし、側面の比較的小さな開口から挿入した複数本の長尺な補強材を、柱状物の内部に上下方向に沿って配置することは非常に困難な作業であり、補強材を上方から吊り下げる工程や、補助具により柱状物内部で補強材を保持する工程など、多数の工程を経て行われるため、補強材の挿入にかなりの時間と労力を必要とする。
【０００７】
また、柱状物に形成した開口から補助具を柱状物内部の所定位置に正しくセットし、この補助具を用いて複数本の長尺な補強材を柱状物内で確実に分散配置させることは非常に難しい。そして、補強材が分散配置されずに柱状物内部の一カ所に偏って配置されたり、あるいは、補強材が柱状物の内面にほとんど接触する程度に近接して配置された場合には、補強材による補強効果が薄れてしまう。
【０００８】
本発明の目的は、複数本の長尺な補強材を柱状物内に挿入しつつ、これら補強材を柱状物内部において確実に分散配置させることが可能な、中空柱状物の補強方法を提供することである。
【課題を解決するための手段及び発明の効果】
【０００９】
第１の発明の中空柱状物の補強方法は、地面に立設された中空形状の柱状物を補強する方法であって、前記柱状物の内部に、袋体とこの袋体に装着された複数本の長尺な補強材とを有する補強体を、前記複数本の補強材が前記柱状物の長さ方向に沿うように挿入する、補強体挿入工程と、前記袋体の内部に流体を注入して袋体を膨張させる、袋体膨張工程と、前記柱状物の内部に、流動性固化材を注入する固化材注入工程と、前記柱状物内に注入された前記流動性固化材を固化させる固化工程とを備えていることを特徴とするものである。
【００１０】
この補強方法においては、袋体と複数本の長尺な補強材とを有する補強体を柱状物内に挿入し、複数本の補強体を前記柱状物の長さ方向に沿わせた後に、袋体に流体を注入して膨張させる。このとき、複数本の補強材は、柱状物内において袋体の膨張に応じて水平方向に移動し、１カ所に偏ることなく分散して配置される。その後、補強体が設置された柱状物の内部に流動性固化材を注入し、流動性固化材を固化させる。これにより、固化材中に複数本の補強体が偏ることなく分散配置された強固な補強構造が構成される。
【００１１】
このように、本発明によれば、補強材とともに柱状物内へ挿入した袋体を膨張させるという簡単な工程で、複数本の長尺な補強材を柱状物内部で容易に分散配置させることができる。また、袋体の主な役割は複数本の補強材を分散配置させることであるが、柱状物内に固化材が注入されて固化した後の状態では、袋体自体も補強材と同様に固化材中に含まれて補強構造の一部を担うことになり、柱状物内部の補強構造がより強固なものとなる。
【００１２】
第２の発明の中空柱状物の補強方法は、前記第１の発明において、前記補強体は、前記補強材の長さ方向に関して間隔を空けて配置される、複数の前記袋体を有することを特徴とするものである。
【００１３】
このように、複数の袋体が補強材の長さ方向に間隔を空けて配置されていると、袋体に流体が注入されたときに、１本の補強材の、複数の袋体にそれぞれ装着された複数の部分に、水平方向の力がそれぞれ作用する。従って、柱状物の内部に配置される補強材を、高さの異なる複数箇所において、複数の袋体によってそれぞれ水平方向に位置決めすることができ、補強材が、長さ方向途中部において撓んだ状態で柱状物内に設置されてしまうのを防止できる。また、複数の袋体に対してそれぞれ独立して流体を注入することで、複数の袋体が膨張するタイミングを異ならせることができる。これにより、例えば、複数の袋体のうち、下側に位置する袋体を先に膨張させて補強材の大まかな位置決めをした後に、上側に位置する別の袋体を膨張させて補強材の上部の位置を微調整することなどが可能となる。
【００１４】
第３の発明の中空柱状物の補強方法は、前記第１の発明において、前記袋体は、小径部とこの小径部よりも径の大きな大径部とを有する異径筒状に形成されており、前記複数本の補強材は、前記大径部に装着されていることを特徴とするものである。
【００１５】
本発明によれば、袋体に流体が注入されて大径部が膨張したときに、補強材の、大径部に装着されている部分に水平方向の力が作用することにより、複数本の補強材が柱状物内において分散配置される。
【００１６】
第４の発明の中空柱状物の補強方法は、前記第３の発明において、前記袋体は、前記補強材の長さ方向に関して間隔を空けて配置される、複数の前記大径部を有することを特徴とするものである。
【００１７】
このように、袋体が、補強材の長さ方向に間隔を空けて配置される複数の大径部を有する場合には、袋体に流体が注入されたときに、１本の補強材の、複数の袋体にそれぞれ装着された複数の部分に、水平方向の力がそれぞれ作用する。従って、柱状物の内部に配置される補強材を、高さの異なる複数箇所において、複数の大径部によって水平方向にそれぞれ位置決めすることができ、補強材が、長さ方向途中部において撓んだ状態で柱状物内に設置されてしまうのを防止できる。また、複数の大径部は小径部を介して互いに連通しているため、１つの注入口から袋体内に流体を注入するだけで、複数の大径部をそれぞれ膨張させることができ、袋体膨張工程を短時間で且つ容易に行える。
【００１８】
第５の発明の中空柱状物の補強方法は、前記第３又は第４の発明において、前記複数本の補強材は、前記大径部のうちの、前記小径部に連なる径変化部を貫通した状態で前記袋体に装着されていることを特徴とするものである。
【００１９】
このように、大径部のうちの小径部に連なる径変化部に、複数本の補強材が貫通していると、袋体内に流体が注入されて大径部が膨張したときに、補強材と中空柱状物の内壁面との距離（被りともいう）が自動的に確保されるので、その後に流動性固化材を中空柱状物内に注入したときに、さらに高い補強効果が得られる。また、径変化部が、複数本の補強材の袋体への装着部となるため、補強材を袋体に装着するための装着部を袋体に特別に設ける必要がないし、補強材の装着作業も容易である。
【００２０】
第６の発明の中空柱状物の補強方法は、前記第１〜第５の何れかの発明において、前記袋体膨張工程において、前記袋体の内部に流動性固化材を注入して袋体を膨張させることを特徴とするものである。
【００２１】
本発明によれば、袋体に流動性固化材を注入することにより袋体を膨張させて、複数本の補強材を分散させた後、固化工程で袋体内の流動性固化材も固化させる。この場合には、袋体内にも固化材が充填された、より強固な補強構造が得られる。
【００２２】
第７の発明の中空柱状物の補強方法は、前記第１〜第５の何れかの発明において、前記袋体膨張工程において、前記袋体の内部に気体を注入して袋体を膨張させることを特徴とするものである。
【００２３】
強固な補強構造を得るという点では、袋体内にも固化材が充填されている方が好ましいのであるが、一方で、柱状物が、その下端から上端まで内部空間全体に固化材が充填された完全な中実構造になってしまうと、地面に立設されている柱状物に外力が作用したときに、柱状物の根元部分（地面に埋設されている下端部）に作用する曲げモーメントが大きくなる。そこで、本発明においては、袋体内に気体を注入することにより袋体を膨張させ、袋体が膨張している状態でその周囲の空間に流動性固化材を注入することにより、柱状物の一部空間（袋体内の空間）を中空状態にする。これにより、柱状物の根元部分に作用する曲げモーメントを低減することが可能となる。また、流動性固化材の使用量を減らすことができるという効果もある。
【００２４】
第８の発明の中空柱状物の補強方法は、前記第１〜第７の何れかの発明において、前記補強材は、可撓性を有することを特徴とするものである。
【００２５】
本発明において、補強材が「可撓性を有する」とは、湾曲させることが可能な程度の可撓性を有することを意味する。このように、補強材が可撓性を有する場合には、補強材を湾曲させながら柱状物の上端から挿入することが可能となり、鉄筋等の剛直な補強材を使用する場合のように、クレーン等で補強材を柱状物上方から吊り下げる必要がない。また、リール等で巻取られた状態で補強材を取り扱うことも可能であり、長尺な補強材の設置スペースが少なくて済む。そのため、狭小な現場でも施工が可能となり、また、施工自体も容易になる。
【００２６】
第９の発明の中空柱状物の補強方法は、前記第１〜第８の何れかの発明において、前記柱状物内に挿入された前記補強体の、前記複数本の補強材の上端部に、これら複数本の補強材の位置を規制する規制部材を取り付けることを特徴とするものである。
【００２７】
本発明によれば、複数本の補強材の上端部位置を規制部材によって規制した上で、それらの長さ方向途中部を、膨張した袋体によって分散させて位置決めすることができる。そのため、複数本の補強材を全長にわたってさらに容易に分散配置させることが可能となり、複数本の補強材が、袋体から離れた部分において撓んだり、偏って配置されたりするのを防止できる。
【００２８】
第１０の発明の中空柱状物の補強体は、地面に立設された中空形状の柱状物を補強するために、前記柱状物内にその上端から挿入される補強体であって、袋体と、前記袋体に装着された複数本の長尺な補強材とを有することを特徴とするものである。
【００２９】
本発明の袋体と複数本の長尺な補強材とを有する補強体を、柱状物の上端から挿入して複数本の補強体を前記柱状物の長さ方向に沿って配置した後に、袋体に流体を注入して膨張させる。すると、複数本の補強材は、袋体の膨張に応じて水平方向に移動し、１カ所に偏ることなく分散して配置される。その後、柱状物の内部に流動性固化材を注入し、流動性固化材を固化させることで、固化材中に複数本の補強体が分散配置された強固な補強構造が得られる。
【発明を実施するための最良の形態】
【００３０】
本発明の実施の形態について説明する。本実施形態は、中空柱状物である電柱を補強する場合に本発明を適用した一例である。
【００３１】
まず、電柱１０（図２参照）の内部に設置される補強体１について図１を参照して説明する。図１に示すように、補強体１は、袋体２と、この袋体２に装着された複数本の長尺な補強材３とを有する。
【００３２】
袋体２は、超高強力ポリエチレン繊維やアラミド繊維などの高強力繊維からなる、経糸及び緯糸によって織成された織物である。また、この袋体２の上端部には、後述するように、袋体２を膨張させる際にその内部に流体（流動性固化材）を注入するための注入管４が接続されている。尚、この袋体２は、内部に流体が注入されて膨張したときの径が電柱１０の内径と同じかそれ以上であり、膨張状態で電柱１０の内壁面に接触するようなものを使用する。
【００３３】
補強材３は、高い引張強度と可撓性とを兼ね備えた材料で形成されている。そのような材料としては、繊維強化プラスチック（ＦＲＰ）が挙げられる。このＦＲＰとしては、マトリクス樹脂がエポキシ系樹脂やポリエステル系樹脂等であり、強化繊維がカーボン繊維、ガラス繊維、あるいは、アラミド繊維等であるものを使用できる。あるいは、補強材３として、可撓性を有するピアノ線、ワイヤー等の金属線材を使用してもよい。また、補強材３は、後述する電柱１０をその全長にわたって補強することができるように、電柱１０の全長（例えば１０ｍ程度）とほぼ同じ長さを有する。
【００３４】
図１に示すように、複数本の補強材３は、袋体２を貫通してそれらの端部が袋体２から突き出した状態となるように、袋体２に挿通されている。尚、袋体２への補強材３の挿通は、袋体２の経糸・緯糸からなる織り目の隙間を用いてもよいし、はんだごて等を用いて袋体２に孔開け加工を施して行ってもよい。逆に、袋体２から見ると、袋体２は、平行に並んだ複数本の補強材３の一端部に串刺し状に装着された状態となっている。このように、複数本の補強材３が袋体２を貫通した状態で装着される場合には、補強材３を袋体２に装着するための装着部を袋体２に特別に設ける必要がないし、補強材３の装着作業も容易である。
【００３５】
次に、この補強体１を用いて電柱１０を補強する方法について図２を参照して説明する。本実施形態では、補強対象である電柱１０は鋼管製あるいはコンクリート製の中空柱状物である。また、その下端部が地中に埋設された状態で電柱１０は地面２０に立設されている。ここで、電柱１０は、その全長にわたって径の変化しないストレート状のものであってもよいが、本実施形態では、図２に示すような先細り形状（テーパー状）に形成された電柱１０を例に挙げて説明する。尚、この電柱１０の具体的な寸法を挙げると、例えば、地上高さが８〜９ｍ、埋設深さが約１．３ｍ、電柱１０の上端の径が約６ｃｍ、下端の径が約１７ｃｍとなる。
【００３６】
以下、電柱１０の補強方法について詳細に説明する。まず、図２（ａ）に示すように、電柱１０の上端部に設けられた末口部１１を取り外し、電柱１０の上端を開放する。
【００３７】
次に、図２（ｂ）に示すように、袋体２、複数本の補強材３、及び、注入管４とを有する補強体１を、電柱１０の上端開口１０ａから内部に挿入する（補強体挿入工程）。尚、ここで使用する補強体１は、現場で袋体２に複数本の補強材３を挿通させることにより作製してもよいし、予め袋体２に補強材３が挿通された状態の補強体１を現場に運搬して使用してもよい。
【００３８】
ここで、前述したように、補強材３は可撓性を有する材料で形成されていることから、複数本の補強材３を、ある曲率（例えば、曲率半径が２ｍ以下）で湾曲させることができる。従って、図２（ｂ）に示すように、電柱１０の上端部に取り付けられたプーリ１３を含む駆動装置１２に補強体１を下方から供給し、この駆動装置１２のプーリ１３によって補強材３を湾曲させて下向きに方向を変えつつ、補強体１を電柱１０の上端開口１０ａから内部に挿入していく。
【００３９】
従って、鉄筋等の剛直な補強材を使用する場合と異なり、クレーン等で補強材を吊り下げる作業が不要になるなど、挿入作業が容易になる。また、リール等に巻取られた状態で補強材３を取り扱うことも可能である。そのため、現場への補強材３の運搬が容易になるし、また、リール等に巻取られた状態から必要な量だけ補強材３を引き出して使用し、電柱１０の長さに応じて補強材３の長さを現場で調整することも可能である。
【００４０】
また、この補強体挿入工程においては、補強体１を、補強材３の下端が電柱１０の底面に当接するまで挿入する。そのため、挿入工程完了後には、補強材３の下端部に装着されている袋体２は、電柱１０の下端部の内部（底面近傍）に配置されることになる。
【００４１】
次に、図２（ｃ）に示すように、電柱１０内に挿入された複数本の補強材３の、電柱１０の上端開口１０ａ付近に位置する上端部に、複数本の補強材３の水平方向の位置を主に規制するスペーサ５（規制部材）を取り付ける。図３は、図２（ｃ）の電柱を上方から見た図である。この図３に示すように、スペーサ５は、電柱１０の上端開口１０ａに対応した円板状の部材である。このスペーサ５の中心部には注入口５ａが形成されており、後述するようにこの注入口５ａから電柱１０内に流動性固化材１５が注入される。また、注入口５ａの周囲領域の周方向等間隔位置には、複数本の補強材３にそれぞれ対応する複数の挿通孔５ｂが形成されている。そして、このスペーサ５は、電柱１０内に挿入された複数本の補強材３の上端部が、複数の挿通孔５ｂにそれぞれ挿通された状態で、電柱１０の上端部に取り付けられる。これにより、複数本の補強材３の水平方向の上端位置がスペーサ５によってそれぞれ規制される。
【００４２】
このスペーサ５の取付後に、袋体２に接続された注入管４を、無収縮モルタル等の流動性固化材を送出するポンプ（図示省略）に接続し、ポンプから注入管４を介して袋体２内に流動性固化材を注入して、図２（ｃ）に示すように袋体２を膨張させる（袋体膨張工程）。
【００４３】
図４は、図２（ｃ）の袋体２の周辺部分の拡大図である。袋体２に流動性固化材を注入して膨張させると、袋体２に挿通された複数本の補強材３の下端部は、袋体２の膨張に応じて電柱１０内で広がるように水平方向に移動する。従って、電柱１０への挿入時には、複数本の補強材３が電柱内の１カ所に偏った状態であったとしても、図４に示すように、袋体２の膨張に応じて複数本の補強材３は水平方向にそれぞれ分散し、互いに間隔を空けて配置される。また、複数本の補強材３は、袋体２を貫通した状態で袋体２に装着されている。そのため、分散配置された各々の補強材３と電柱１０の内壁面との間の被り（図４に示される間隔ａ）が自動的に確保される。また、袋体２が膨張した後の電柱１０内の補強材３の分散位置は、補強材３の袋体２への挿通位置によって定まる。言い換えれば、袋体２の所定の挿通位置（例えば、周方向等間隔位置）において複数本の補強材３をそれぞれ挿通し、袋体２に流動性固化材を注入して袋体２を膨張するだけで、前記挿通位置に応じた電柱１０内の所定の位置に複数本の補強材３を分散させることができる。
【００４４】
次に、図２（ｄ）に示すように、スペーサ５の注入口５ａに注入管１４を介してポンプ（図示省略）を接続し、ポンプから注入管１４を介して、電柱１０の内部に無収縮モルタル等の流動性固化材１５を注入する（固化材注入工程）。
【００４５】
そして、電柱１０の上端まで流動性固化材１５が注入されたら、電柱１０の上端部に末口部１１を取り付け、上端開口１０ａを塞いでそのまま放置し、電柱１０内の流動性固化材１５（袋体２内の固化材を含む）を固化させる（固化工程）。このように、流動性固化材１５の電柱１０内への注入が終了すれば、後はその状態のまま放置するだけで流動性固化材１５が自然に固化していくため、固化材注入工程の完了により実質的な作業は終了する。
【００４６】
そして、流動性固化材１５が完全に固化したときに、固化材中に複数本の補強材３が分散配置されるとともに、被り（図４に示される間隔ａ）も適切に確保された、強固な補強構造が得られる。また、超高強力ポリエチレン繊維やアラミド繊維等の高強力繊維からなる袋体２が、補強材３と同様に補強構造の一部を担っているため、固化材１５と補強材３のみの補強構造と比べて、さらに強固なものとなる。また、本実施形態では、袋体２を膨張させるための流体として、固化材注入工程で電柱１０内に注入する流動性固化材１５を使用し、電柱１０内の流動性固化材１５と袋体２内の流動性固化材の両方を固化させる。そのため、袋体２内にも固化材が充填された、より強固な補強構造が得られる。
【００４７】
以上説明した電柱１０の補強方法によれば、次のような効果が得られる。
電柱１０の上端から補強材３を挿入することから、電柱１０の側面に補強材３を挿入するための開口を別途形成する必要がなく、補強材３の挿入作業も容易である。さらに、補強材３とともに電柱１０内へ挿入した袋体２を膨張させるという簡単な工程で、複数本の長尺な補強材３を電柱１０内部で容易に分散配置させることができる。また、袋体２の主な役割は複数本の補強材３を分散配置させることであるが、電柱１０内に流動性固化材１５が注入された状態では、袋体２自体も補強材３と同じく固化材１５中に含まれて補強構造の一部を担うことになり、電柱１０内部の補強構造がより強固なものとなる。さらに、袋体２を折り畳むことができるため、電柱１０の上端開口１０ａが小さくても内部に挿入しやすく、上端部がテーパー状に細くなった電柱に対して特に有効である。
【００４８】
また、補強材３が可撓性を有する材料からなるため、補強材３を湾曲させながら電柱１０の上端から挿入することが可能となり、鉄筋等の剛直な補強材３を使用する場合のように、クレーン等で補強材３を電柱１０の上方から吊り下げる必要がない。また、リール等で巻取られた状態で補強材３を取り扱うことも可能であり、長尺な補強材３の設置スペースが少なくて済む。そのため、狭小な現場でも施工が可能となり、また、施工自体も容易になる。
【００４９】
複数本の補強材３の上端部位置をスペーサ５によって規制した上で、それらの下端部を膨張する袋体２によって分散した状態に位置決めすることができる。そのため、複数本の補強材３を、全長にわたって分散配置することが可能となり、複数本の補強材３が、袋体２から離れた部分において撓んだり、偏って配置されたりするのを防止できる。
【００５０】
次に、前記実施形態に種々の変更を加えた変更形態について説明する。但し、前記実施形態と同様の構成を有するものについては、同じ符号を付して適宜その説明を省略する。
【００５１】
（変更形態１）
前記実施形態では、補強体１を電柱１０内に挿入し、袋体２を膨張させてから、電柱１０内に流動性固化材１５を注入している。しかし、膨張状態の袋体２が電柱１０の内壁面の周方向全域にわたって密着する場合には、袋体２で栓をしたような状態になり、その後に注入された流動性固化材１５が、袋体２よりも下側の空間に充填されにくい。そこで、このような場合には、流動性固化材１５の電柱１０内への注入を、補強体１を挿入する前後の２回に分けて行ってもよい。
【００５２】
即ち、補強体１を電柱１０内に挿入する前に、電柱１０の下端部の内部に流動性固化材１５を注入する。次に、先に注入した固化材１５が流動性を有する間に、その固化材１５中に補強材３の先端部を差し込みつつ補強体１を電柱１０内に設置する。その後、袋体２を膨張させて複数本の補強材３を分散させてから、電柱１０内における袋体２よりも上側の空間に流動性固化材１５を注入する。
【００５３】
尚、袋体２を膨張させるための袋体２内への流動性固化材１５の注入と、電柱１０内における袋体２よりも上部の空間への流動性固化材１５の注入とを、例えば、以下のようにして、１回の注入作業で行うことも可能である。即ち、図５（ａ）に示すように、まず、畳まれた状態の袋体２と複数本の補強材３とからなる補強体１を電柱１０内に挿入し、袋体２を電柱１０内の最下部に設置する。そして、図５（ｂ）に示すように、電柱１０の内壁面と畳まれた状態の袋体２の間から、電柱１０の袋体２よりも下側の空間１０ａに流動性固化材１５を注入する（固化材１次注入）。
【００５４】
次に、図５（ｂ）に示すように、袋体２の上端からその内部に流動性固化材１５を注入して袋体２の下端部（補強材３が挿通された部分）を膨張させ、複数本の補強材３を分散させる（固化材２次注入）。その後、袋体２の上部（補強材３が挿通された部分よりも上側の部分）に開口２ａを形成した後、袋体２内への固化材１５の注入（２次注入）を再開する。すると、袋体２内の流動性固化材１５の水位が上部開口２ａの位置まで上昇したときに、この上部開口２ａから袋体２外へ流動性固化材１５が溢れ出ることになるため、袋体２よりも上側の空間１０ｂへの固化材１５の注入を引き続いて行うことができる。
【００５５】
また、袋体２に直接固化材１５を注入するのではなく、前記実施形態のように、注入用の注入管４が別途装着されている場合には、袋体２が完全に膨張するまでの注入途中で開口２ａから固化材１５が漏れ出すことは少ないことから、電柱１０内への挿入前に袋体２の上端部に予め開口２ａを形成しておくことも可能である。
【００５６】
（変更形態２）
図１に示すように、前記実施形態では、複数本の補強材３が、袋体２を貫通してそれらの端部が袋体２から突き出していたが、図６に示すように、複数本の補強材３の、袋体２に挿入された端部が袋体２から突き出していなくてもよい。
【００５７】
（変更形態３）
図７に示すように、補強体が、補強材３の長さ方向に間隔を空けて配置された、複数の袋体２を備えているものであってもよい。この場合には、複数の袋体２がそれぞれ膨張したときに、１本の補強材３の、複数の袋体２に挿通されている部分に対して、それぞれ水平方向の力が作用する。従って、図８に示すように、電柱１０の内部に配置される補強材３を、高さの異なる複数の箇所において複数の袋体２でそれぞれ位置決めすることができる。特に、先細り状（テーパー状）の電柱１０においては、長尺な補強材３は、その自重によって長さ方向途中部において撓みやすく、電柱１０の内壁面に沿わせることが難しいが、補強材３の両端部だけでなく、その途中部も袋体２で位置決めすることにより、途中部における撓みを抑制することが可能となる。
【００５８】
また、この図７の補強体においては、複数の袋体２に対してそれぞれ独立して流体を注入することで、複数の袋体２が膨張するタイミングを異ならせることができる。これにより、例えば、複数の袋体２のうち、下側に位置する袋体２を先に膨張させて、補強材３の大まかな位置決めをした後に、上側に位置する別の袋体２を膨張させて、補強材３の上部の位置を微調整することなどが可能となる。
【００５９】
尚、補強材３の撓みを防止するためには袋体２が複数存在することが必須というわけではなく、袋体２が１つであっても補強材３の撓みを抑制することは可能である。例えば、図９（ａ）に示すように、袋体２が膨張して電柱１０の内壁面に密着している状態では、補強材３を上方に引っ張っても補強材３が上方に移動してしまうことはない。そこで、袋体２を膨張させた後に、図９（ｂ）に示すように、複数本の補強材３をそれぞれ上方に引っ張ることで、補強材３を緊張させて撓みを低減し、所定量の被り（補強材３の電柱１０の内壁面との距離）を確保することができる。尚、この場合には、図９（ｂ）に拡大図で示すように、補強材３を上方へ引っ張ったときに、補強材３が袋体２から抜けてしまうのを防止する抜け止め４０が、袋体２に挿通された後の補強材３の先端部に取り付けられていることが好ましい。
【００６０】
（変更形態４）
図１０に示すように、袋体２Ａが、小径部３０とこの小径部３０よりも径（幅）が大きな大径部３１とを有する、異径筒状の織物であり、大径部３１に複数本の補強材３が装着（挿通）された構成であってもよい。この形態では、小径部３０を介して大径部３１に流体を注入することにより袋体２Ａを膨張させる。そして、袋体２Ａが膨張したときには、前記実施形態と同様に、補強材３の大径部３１に挿通されている部分に局所的に水平方向の力が作用することで、複数本の補強材３が電柱１０内において分散配置される。
【００６１】
（変更形態５）
図１１に示すように、袋体２Ｂが、補強材３の長さ方向に間隔を空けて配置された複数の大径部３１を有し、複数の大径部３１がそれらの間の小径部３０によって連通した異径筒状織物であってもよい。この場合、前記変更形態３（図７）と同様に、電柱１０の内部に配置される補強材３を、高さの異なる複数の箇所において、複数の大径部３１でそれぞれ位置決めすることができる。また、複数の大径部３１は小径部３０を介して互いに連通しているため、１つの注入口から袋体２Ｂ内に流体を注入するだけで、複数の大径部３１をそれぞれ膨張させることができ、袋体膨張工程を短時間で且つ容易に行えるという利点もある。
【００６２】
尚、上述した変更形態４，５においては、図１０、図１１に示されているように、複数本の補強材３は、大径部３１のうちの、小径部３０に連なる径変化部３１ａを貫通した状態で袋体２Ａ（２Ｂ）に装着されていることが好ましい。このように、大径部３１のうちの、小径部３０に連なる径変化部３１ａに複数本の補強材３が貫通していると、大径部３１が膨張したときに、補強材３と電柱１０の内壁面との距離（被りともいう）が自動的に確保される。従って、その後、流動性固化材１５を電柱１０内に注入したときには、さらに高い補強効果が得られる。また、径変化部３１ａが、複数本の補強材３の袋体２Ａ（２Ｂ）への装着部となるため、補強材３を袋体２Ａ（２Ｂ）に装着するための装着部を袋体２Ａ（２Ｂ）に特別に設ける必要がないし、補強材３の装着作業も容易である。
【００６３】
（変更形態６）
電柱１０が先細りのテーパー状である場合には、図１２に示すように、袋体２Ｃが、電柱１０に対応して、先端ほど径が小さい、先細りのテーパー状に形成された異径筒状袋体であってもよい。この場合、変更形態４（図１０）の、小径部３０と大径部３１とを有する異径筒状袋体２Ａと比較すると、補強材３が電柱１０のテーパーに沿いやすくなり、補強材３が長くても中弛みが生じにくい。そのため、図１０の形態では途中部による中弛みによって被りが大きくなりやすいのに対して、この図１２の形態では、長さ方向に関して被りの変化（ばらつき）が小さくなる。また、袋体２Ｃ内に流動性固化材１５を注入したときに、補強材３に曲げがかかりにくくなる。
【００６４】
（変更形態７）
前記実施形態では、袋体２内に流動性固化材１５を注入することにより袋体２を膨張させており、注入後には、袋体２内の流動性固化材１５も固化することになる。これは、強固な補強構造を得るという点では好ましいのであるが、その一方で、電柱１０の構造が、その下端から上端まで内部空間全体に固化材が充填された完全な中実構造になってしまうため、地面に立設されている電柱１０に外力が作用したときに、電柱１０の根元部分（地面に埋設されている下端部）に作用する曲げモーメントが大きくなる。
【００６５】
そこで、袋体膨張工程において、袋体２に気体（例えば、圧縮空気）を注入することにより、袋体２を膨張させてもよい。そして、袋体２が注入された気体によって膨張している状態で、その周囲の空間に流動性固化材１５を注入する。すると、電柱１０内の一部空間（袋体２内の空間）が中空状態のままで、周囲の流動性固化材１５が固化する。これにより、電柱１０の根元部分に作用する曲げモーメントを低減することが可能となる。特に、電柱１０内の、地面よりも上方の位置に袋体２が配置されている場合（例えば、図７参照）に、袋体２内を中空にすることによる曲げモーメント低減効果は大きくなる。また、流動性固化材１５の使用量を減らすことができるという効果もある。
【００６６】
（変更形態８）
前記実施形態では、袋体２と複数の補強材３とからなる補強体１を、電柱１０の上端開口１０ａから電柱１０内に挿入しているが（図２（ｂ）参照）、電柱１０の側面に開口を形成し、その側面開口から補強体１を挿入するようにしてもよい。この場合、上端から挿入する場合に比べて、挿入直後の状態において、複数の補強材３が電柱１０内で偏って配置されやすいと考えられるが、その後に袋体２内に流動性固化材１５を注入して袋体２を膨張させることにより、補強材３を分散させることができるため、挿入直後の補強材３の状態はそれほど気にする必要はない。
【００６７】
（変更形態９）
補強材３としては、ＦＲＰのような可撓性を有する材料からなるものに限られず、鉄筋等の剛直なものを用いることも可能である。
【００６８】
（変更形態１０）
前記実施形態では、袋体２に補強材３を挿通することにより、補強材３の袋体２への装着を行っているが、ワイヤや糸を用いて補強材３を袋体２にくくりつけるなどの、他の装着方法を採用してもよい。
【００６９】
（変更形態１１）
前記実施形態では、流動性固化材として、時間経過とともに固化するモルタルを例に挙げているが、加熱処理を施すことによって初めて硬化する熱硬化性樹脂など、常温で放置するだけでは固化せず、特別な固化処理が必要なものを使用することもできる。
【００７０】
以上説明した実施形態及びその変更形態は、電柱を補強する場合に本発明を適用した例であるが、本発明の適用対象は電柱に限られるものではなく、看板等の構造物を支持する支柱など、電柱以外の種々の中空柱状物に対しても本発明を適用することができる。
【図面の簡単な説明】
【００７１】
【図１】本発明の実施形態に係る補強体の正面図である。
【図２】本実施形態に係る電柱の補強工程を示す図であり、（ａ）は末口部取り外し、（ｂ）は補強体挿入、（ｃ）は袋体膨張、（ｄ）は固化材注入、（ｅ）は末口部取り付けの、各工程を示す。
【図３】図２（ｃ）の電柱を上方から見た図である。
【図４】図２（ｃ）の袋体周辺部分の拡大図である。
【図５】変更形態１に係る電柱の補強工程を示す図であり、（ａ）は補強材挿入、（ｂ）は固化材１次注入と袋体膨張、（ｃ）は固化材２次注入の、各工程を示す。
【図６】変更形態２の補強体の正面図である。
【図７】変更形態３の補強体の正面図である。
【図８】変更形態３の補強体の、電柱内に挿入された状態を示す図である。
【図９】補強材の撓みを矯正する工程の一例を示す図であり、（ａ）は袋体膨張直後の状態、（ｂ）は補強材の撓み矯正後の状態を示す。
【図１０】変更形態４の補強体の正面図である。
【図１１】変更形態５の補強体の正面図である。
【図１２】変更形態６の補強体の、電柱内に挿入された状態を示す図である。
【符号の説明】
【００７２】
１  補強体
２，２Ａ，２Ｂ，２Ｃ  袋体
３  補強材
５  スペーサ
１０  電柱
１０ａ  上端開口
１５  流動性固化材
３０  小径部
３１  大径部
【図１】
2010077722.tif 000003
【図２】
2010077722.tif 000004
【図３】
2010077722.tif 000005
【図４】
2010077722.tif 000006
【図５】
2010077722.tif 000007
【図６】
2010077722.tif 000008
【図７】
2010077722.tif 000009
【図８】
2010077722.tif 000010
【図９】
2010077722.tif 000011
【図１０】
2010077722.tif 000012
【図１１】
2010077722.tif 000013
【図１２】
2010077722.tif 000014